(57)【要約】【課題】投稿情報の信頼度を評価し、Ｗｅｂ上でこの情報を閲覧することができる投稿情報評価システム、方法、そのサーバ、クライアント端末、およびそれらのプログラムを提供すること。【解決手段】クライアント端末（２０ｘ）とサーバ（６０、７０、８０）により構成されたＷｅｂサイトにおいて投稿される投稿情報の信頼度を評価する投稿情報評価システムであって、前記クライアント端末（２０ｘ）は、前記クライアント端末（２０ｘ）の位置する位置データを取得することができる位置データ取得部と、前記投稿情報の投稿の際に前記投稿情報と取得または記憶されている前記位置データとを添付して送信する送信部と、を備え、前記サーバ（６０、７０、８０）は前記投稿情報を受信する受信部と、受信した前記投稿情報を添付されて受信した前記位置データに基づき信頼度を評価する信頼度評価部と、を備える投稿情報評価システム。【選択図】図１
2007304977.tif 000002
【特許請求の範囲】
【請求項１】
クライアント端末とサーバにより構成されたＷｅｂサイトにおいて投稿される投稿情報の信頼度を評価する投稿情報評価システムであって、
前記クライアント端末は、
前記クライアント端末の位置する位置データを取得することができる位置データ取得部と、
前記投稿情報に取得または記憶されている前記位置データを添付して送信する送信部と、
を備え、
前記サーバは前記投稿情報を受信する受信部と、
受信した前記投稿情報を添付された前記位置データに基づき信頼度を評価する信頼度評価部と、
を備える投稿情報評価システム。
【請求項２】
前記信頼度評価部は評価の対象となる施設の位置データと送信された前記位置データとの間の距離に関連して信頼度を評価する請求項１に記載の投稿情報評価システム。
【請求項３】
前記クライアント端末は、
前記位置データを取得した日時データを取得することができる計時部と、
前記位置データと前記日時データを記憶する記憶部と、
をさらに備え、
前記送信部は前記投稿情報に取得または記憶されている前記位置データと前記日時データを添付して送信し、
前記信頼度評価部は添付された前記日時データを合わせて信頼度を評価する請求項１または２に記載の投稿情報評価システム。
【請求項４】
地図データを記憶する地図データ記憶手段と、
前記施設の位置データの近傍の地図を検索する地図検索手段と、
前記近傍の地図と当該地図データに前記投稿情報を表すアイコンとを表示する表示手段と、をさらに前記サーバに備える請求項２に記載の投稿情報評価システム。
【請求項５】
前記地図データに表示される前記投稿情報の絞込みを行う特定手段を入力する特定条件入力手段と、
入力された特定条件に従い前記投稿情報の絞込みをする絞込手段と、
をさらに備え、前記表示手段は絞込みされた情報をさらに表示する請求項４に記載の投稿情報評価システム。
【請求項６】
クライアント端末とサーバにより構成されたＷｅｂサイトにおいて投稿される投稿情報の信頼度を評価する投稿情報評価システムであって、
前記クライアント端末は、
指定した場合の前記クライアント端末の位置する位置データを継続して取得することができ、継続して取得した位置データログを記憶することができる位置データログ部と、
前記位置データログとユーザ情報と該位置データログに基づいた投稿情報とを送信する送信部と、
を備え、
前記サーバは前記投稿情報を受信する受信部と、
受信した前記投稿情報を前記位置データログと前記ユーザ情報に基づき信頼度を評価する信頼度評価部と、
を備える投稿情報評価システム。
【請求項７】
投稿情報を受信する受信部を備えたサーバと通信可能なクライアント端末であって、
指定した場合の前記クライアント端末の位置する位置データを取得することができる位置データ取得部と、
前記位置データを取得した日時データを取得することができる計時部と、
前記位置データと前記日時データを記憶する記憶部と、
前記投稿情報の投稿の際に前記投稿情報と取得または記憶されている前記位置データと前記日時データを添付して送信する送信部と、
を備えたクライアント端末。
【請求項８】
投稿情報を受信する受信部を備えたサーバと通信可能なクライアント端末であって、
指定した場合の前記クライアント端末の位置する位置データを継続して取得することができ、継続して取得した位置データログを記憶することができる位置データログ部と、
前記位置データログとユーザ情報と該位置データログに基づいた投稿情報とを送信する送信部と、
を備えたクライアント端末。
【請求項９】
請求項３に記載のクライアント端末と通信可能なサーバであって、
前記サーバは前記投稿情報を受信する受信部と、
受信した前記投稿情報を添付された前記位置データと前記日時データに基づき信頼度を評価する信頼度評価部と、
を備えるサーバ。
【請求項１０】
前記信頼度評価部は評価の対象となる施設の位置データと送信された前記位置データとの間の距離に関連して信頼度を評価する請求項９に記載のサーバ。
【請求項１１】
地図データを記憶する地図データ記憶手段と、
前記位置データの近傍の地図を検索する地図検索手段と、
前記近傍の地図と当該地図データに前記投稿情報を表すアイコンとを表示する表示手段と、をさらに備える請求項９または１０に記載のサーバ。
【請求項１２】
各コミュニティ参加者のデータを記憶する参加者記憶手段と、
前記投稿情報の投稿者が前記各コミュニティ参加者であるか否かを判定する判定手段と、
前記投稿者が前記各コミュニティ参加者と判定された場合に前記投稿情報のアクセス者が前記各コミュニティ参加者である場合に前記投稿情報の開示を許諾する許諾手段と、
をさらに備える請求項９から１１のいずれかに記載のサーバ。
【請求項１３】
クライアント端末とサーバにより構成されたＷｅｂサイトにおいて紹介される投稿情報の信頼度を評価する投稿情報評価方法であって、
前記投稿情報に投稿者が取得した位置データと日時データを添付して前記クライアント端末より送信するステップと、
前記サーバは前記投稿情報を受信し、前記位置データと日時データに基づき信頼度を評価する信頼度評価ステップと、
を備える投稿情報評価方法。
【請求項１４】
前記信頼度評価ステップは、投稿情報対象の店舗等の位置情報と投稿者が送信した位置情報との距離により判定する請求項１３の記載の投稿情報評価方法。
【請求項１５】
クライアント端末とサーバにより構成されたＷｅｂサイトにおいて紹介される投稿情報の信頼度を評価する投稿情報評価方法であって、
定期的に位置情報を取得するステップと、
前記位置情報のログを記憶するステップと、
前記投稿情報に投稿者が記憶されている前記ログを添付して前記クライアント端末より送信するステップと、
前記サーバは前記投稿情報を受信し、前記ログと投稿情報対象の施設の位置情報とに基づき信頼度を評価する信頼度評価ステップと、
を備える投稿情報評価方法。
【請求項１６】
クライアント端末とサーバにより構成されたＷｅｂサイトにおいて紹介される投稿情報の信頼度を評価する投稿情報評価システムに使用される前記クライアント端末用のプログラムであって、
前記クライアント端末に、
定期的に位置情報を取得するステップと、
前記位置情報のログを記憶するステップと、
前記投稿情報に投稿者が記憶されている前記ログを添付して前記クライアント端末より送信するステップと、
を実行させるプログラム。
【請求項１７】
クライアント端末とサーバにより構成されたＷｅｂサイトにおいて紹介される投稿情報の信頼度を評価する投稿情報評価システムに使用される前記サーバ用のコンピュータ・プログラムであって、
前記サーバに、
前記サーバは前記クライアント端末より送信される投稿情報と位置情報のログを受信し、前記ログと投稿情報対象の施設の位置情報とに基づき前記投稿情報の信頼度を評価する信頼度評価ステップと、
を実行させるコンピュータ・プログラム。
【発明の詳細な説明】
【技術分野】
【０００１】
本発明は、投稿情報の評価方法ならびに投稿情報評価システム、そのサーバ、クライアント端末、およびそれらのプログラムに関する。
【背景技術】
【０００２】
インターネットの普及にともない、グルメや観光スポットの口コミ情報の投稿・閲覧を行うＷｅｂサイトが多数存在する。しかし、その投稿の信頼度を測る指標が存在しなかった。その為、閲覧者には口コミ情報の投稿者が実際に店舗等に行った上で投稿を書いているのかが判定できず、どの投稿を信頼すべきかが判定できなかった。
【０００３】
また、参加者が互いに友人を紹介しあって、Ｗｅｂ上で新たな友人関係を広げることを目的に開設された、ＳＮＳ（Ｓｏｃｉａｌ  Ｎｅｔｗｏｒｋｉｎｇ  Ｓｉｔｅ）等のサービスが普及しつつある。このサービスの中では、個人が発信する情報を関係する人にのみ送る集団であるいろいろなコミュニティが増加しつつある。このコミュニティの中でも送られたどの情報を信頼すべきか分らないという問題もある。
【０００４】
これらに関連する従来技術としては、多数の人の口コミ情報を収集し、収集した発言の中から同一の発言者の発言を取り出し、取り出した発言に関して解析を行う口コミ情報解析方法が提案されている（特許文献１参照）。また、投稿者名などのユーザ情報に配慮した口コミ情報の解析を行える口コミ情報解析方法および装置も提案されている（特許文献２参照）。
【０００５】
また、画像やテキスト等のデータとＧＰＳ等の手段で取得した位置情報を関連付けて投稿・記録し、閲覧者がアクセスすると、閲覧者の現在地の周辺エリアの投稿情報を提供する方法の提案もされている（特許文献３参照）。
さらに、旅行記などの自身行動記録を作成することの可能な行動記録自動作成システムも提案されている（特許文献４参照）。
しかし、投稿情報を位置情報に関連付けて評価するシステム、方法については見当たらない。
【特許文献１】特開２０００−３２２４０２号公報
【特許文献２】特開２００４−１８５５７２号公報
【特許文献３】特開２００５−２７５９８５号公報
【特許文献４】特開２００３−２８８３５４号公報
【発明の開示】
【発明が解決しようとする課題】
【０００６】
本発明は、投稿情報の信頼度を評価し、Ｗｅｂ上でこの情報を閲覧することができる投稿情報評価システム、その方法、サーバ、クライアント端末、およびそれらのプログラムを提供することを目的とする。
【課題を解決するための手段】
【０００７】
本発明者らは、投稿情報が実際に訪問・体験しての結果かどうかを評価する観点より考察し、本発明を完成するに至った。
【０００８】
（１）クライアント端末とサーバにより構成されたＷｅｂサイトにおいて投稿される投稿情報の信頼度を評価する投稿情報評価システムであって、前記クライアント端末は、前記クライアント端末の位置する位置データを取得することができる位置データ取得部と、前記投稿情報に取得または記憶されている前記位置データを添付して送信する送信部と、を備え、前記サーバは前記投稿情報を受信する受信部と、受信した前記投稿情報を添付された前記位置データに基づき信頼度を評価する信頼度評価部と、を備える投稿情報評価システム。
【０００９】
（１）の発明によれば、クライアント端末は、位置データを取得することができる位置データ取得部を備えている。クライアント端末が位置した情報をあるレストラン等の投稿情報を取得した位置データとともにサーバに送信する。サーバは、これらの情報を信頼度評価部により信頼度を評価する。
【００１０】
（２）前記信頼度評価部は評価の対象となる施設の位置データと送信された前記位置データとの間の距離に関連して信頼度を評価する（１）に記載の投稿情報評価システム。
【００１１】
（２）の発明によれば、信頼度の評価は、投稿情報に添付された位置データを評価することにより行う。すなわち、位置データが投稿してきた情報の施設の位置データよりある一定の距離が離れている場合は、信頼度は低いと評価することができる。
【００１２】
ここで、位置データ取得部は、ＧＰＳ（Ｇｌｏｂａｌ  Ｐｏｓｉｔｉｏｎｉｎｇ  Ｓｙｓｔｅｍ：全地球測位）を用いたものが望ましいが、ＰＨＳ（Ｐｅｒｓｏｎａｌ  Ｈａｎｄｙｐｈｏｎｅ  Ｓｙｓｔｅｍ）基地局網を利用したものでも良い。また、携帯電話機で使用されているゾーン情報を利用する方法でも良い。
【００１３】
（３）前記クライアント端末は、前記位置データを取得した日時データを取得することができる計時部と、前記位置データと前記日時データを記憶する記憶部と、をさらに備え、前記送信部は前記投稿情報の投稿の際に前記投稿情報と取得または記憶されている前記位置データと前記日時データを添付して送信し、前記信頼度評価部は添付された前記日時データを合わせて信頼度を評価する請求項１または２に記載の投稿情報評価システム。
【００１４】
（３）に記載の発明によれば、さらにクライアント端末は、位置データを取得した日時データを取得することができる計時部と、位置データと日時データを記憶する記憶部と、をさらに備える。したがって、位置データにさらに位置データを取得した日時データを加えて投稿情報の信頼度を評価することができる。よって信頼度評価の信頼度が高まる。また、例えば、添付された日時データが実際にそのレストランの営業日でなければその投稿情報の信頼度は非常に低いと評価することができる。
【００１５】
（４）地図データを記憶する地図データ記憶手段と、前記施設の位置データの近傍の地図を検索する地図検索手段と、前記近傍の地図と当該地図データに前記投稿情報を表すアイコンとを表示する表示手段と、をさらに前記サーバに備える（２）に記載の投稿情報評価システム。
【００１６】
（４）の発明は、（２）に記載の発明に加えて、地図データを記憶する地図データ記憶手段と、位置データの近傍の地図を検索する地図検索手段と、近傍の地図と当該地図上に投稿情報を表すアイコンとを表示する表示手段とをさらにサーバに備えている。したがって、投稿情報を閲覧する場合に閲覧対象の施設の位置データの近傍の地図が表示されるので近傍の状況を閲覧者は知ることができる。また、当該地図上に投稿情報を表すアイコンが表示されるので、そのアイコンをクリックすることにより投稿情報を知ることができる。
【００１７】
（５）前記地図データに表示される前記投稿情報の絞込みを行う特定手段を入力する特定条件入力手段と、入力された前記特定条件に従い前記投稿情報の絞込みをする絞込手段と、をさらに備え、前記表示手段は絞込みされた情報をさらに表示する（４）に記載の投稿情報評価システム。
【００１８】
（５）の発明によれば、地図データに表示される投稿情報の絞込みを行う特定手段を入力する特定条件入力手段と、投稿情報の絞込みをする絞込手段と、を備え、絞込みされた情報をさらに表示する。絞込みは、日付や季節またはキーワードにより行うことができる。絞込みをすることにより多くの投稿情報のなかから適切なものを選択して表示するので選択がやりやすくなる。
【００１９】
（６）クライアント端末とサーバにより構成されたＷｅｂサイトにおいて投稿される投稿情報の信頼度を評価する投稿情報評価システムであって、前記クライアント端末は、指定した場合の前記クライアント端末の位置する位置データを継続して取得することができ、継続して取得した位置データログを記憶することができる位置データログ部と、前記位置データログとユーザ情報と該位置データログに基づいた投稿情報とを送信する送信部と、を備え、前記サーバは前記投稿情報を受信する受信部と、受信した前記投稿情報を前記位置データログと前記ユーザ情報に基づき信頼度を評価する信頼度評価部と、を備える投稿情報評価システム。
【００２０】
（６）の発明では、クライアント端末は（１）の発明の位置データ取得部に替えて位置データログ部を備える。取得した位置データログ部と該位置データログに基づいた投稿情報とユーザ情報が送信される。サーバはこれらの情報を受信して、投稿情報を前記位置データログと前記ユーザ情報に基づき信頼度を評価する。ここで、ユーザ情報は、例えばユーザの年齢、性別、住所、職業等である。位置データログは、例えば携帯電話機で位置データログを取得して、帰宅後位置データログをパーソナルコンピュータに転送する。そして、パーソナルコンピュータをクライアント端末として用いサーバに位置データログとともに投稿情報とユーザ情報を送信することもできる。
【００２１】
（７）投稿情報を受信する受信部を備えたサーバと通信可能なクライアント端末であって、指定した場合の前記クライアント端末の位置する位置データを取得することができる位置データ取得部と、前記位置データを取得した日時データを取得することができる計時部と、前記位置データと前記日時データを記憶する記憶部と、前記投稿情報の投稿の際に前記投稿情報と取得または記憶されている前記位置データと前記日時データを添付して送信する送信部と、を備えたクライアント端末。
【００２２】
（７）の発明は、（１）から（４）の発明に用いることができるクライアント端末である。（１）から（４）で説明した投稿情報評価システムに用いることにより同様な作用効果がある。
【００２３】
（８）投稿情報を受信する受信部を備えたサーバと通信可能なクライアント端末であって、指定した場合の前記クライアント端末の位置する位置データを継続して取得することができ、継続して取得した位置データログを記憶することができる位置データログ部と、前記位置データログとユーザ情報と該位置データログに基づいた投稿情報とを送信する送信部と、を備えたクライアント端末。
【００２４】
（８）の発明は、（６）の発明に用いることができるクライアント端末である。（６）で説明した投稿情報評価システムに用いることにより同様な作用効果がある。
【００２５】
（９）（３）に記載のクライアント端末と通信可能なサーバであって、前記サーバは前記投稿情報を受信する受信部と、受信した前記投稿情報を添付されて受信した前記位置データと前記日時データに基づき信頼度を評価する信頼度評価部と、を備えるサーバ。
【００２６】
（９）の発明は、（３）の発明に用いることができるサーバである。（３）で説明した投稿情報評価システムに用いることにより同様な作用効果がある。
【００２７】
（１０）前記信頼度評価部は評価の対象となる施設の位置データと送信された前記位置データとの間の距離に関連して信頼度を評価する（９）に記載のサーバ。
【００２８】
（１０）の発明は、（２）の発明に用いることができるサーバである。（２）で説明した投稿情報評価システムに用いることにより同様な作用効果がある。
【００２９】
（１１）地図データを記憶する地図データ記憶手段と、前記位置データの近傍の地図を検索する地図検索手段と、前記近傍の地図と当該地図データに前記投稿情報を表すアイコンとを表示する表示手段と、をさらに備える（８）または（９）に記載のサーバ。
【００３０】
（１１）の発明は、（４）の発明に用いることができるサーバである。（３）で説明した投稿情報評価システムに用いることにより同様な作用効果がある。
【００３１】
（１２）各コミュニティ参加者のデータを記憶する参加者記憶手段と、前記投稿情報の投稿者が前記各コミュニティ参加者であるか否かを判定する判定手段と、前記投稿者が前記各コミュニティ参加者と判定された場合に前記投稿情報のアクセス者が前記各コミュニティ参加者である場合に前記投稿情報の開示を許諾する許諾手段と、をさらに備える（９）から（１１）のいずれかに記載のサーバ。
【００３２】
（１２）の発明は、各コミュニティ参加者にのみ投稿情報を開示することを許諾する手段を有する。したがって、投稿情報を関係する人にのみ送ることができる。
【００３３】
（１３）クライアント端末とサーバにより構成されたＷｅｂサイトにおいて紹介される投稿情報の信頼度を評価する投稿情報評価方法であって、前記投稿情報の投稿の際に前記投稿情報を投稿者が取得した位置データと日時データを添付して前記クライアント端末より送信するステップと、前記サーバは前記投稿情報を受信し、前記位置データと日時データに基づき信頼度を評価する信頼度評価ステップと、を備える投稿情報評価方法。
【００３４】
（１４）前記信頼度評価ステップは、前記投稿情報対象の店舗等の位置情報と投稿者が送信した位置情報との距離により判定する（１３）の投稿情報評価方法。
【００３５】
（１３）および（１４）の発明は投稿情報評価方法に関するものである。これらの方法を使うことにより、（１）、（２）、（３）で説明したのと同様な作用効果を得ることができる。
【００３６】
（１５）クライアント端末とサーバにより構成されたＷｅｂサイトにおいて紹介される投稿情報の信頼度を評価する投稿情報評価方法であって、定期的に位置情報を取得するステップと、前記位置情報のログを記憶するステップと、前記投稿情報の投稿の際に前記投稿情報を投稿者が記憶されている前記ログを添付して前記クライアント端末より送信するステップと、前記サーバは前記投稿情報を受信し、前記ログと投稿情報対象の施設の位置情報とに基づき信頼度を評価する信頼度評価ステップと、を備える投稿情報評価方法。
【００３７】
（１５）の発明も投稿情報評価方法に関するものである。これらの方法を使うことにより、（６）で説明したのと同様な作用効果を得ることができる。
【００３８】
（１６）クライアント端末とサーバにより構成されたＷｅｂサイトにおいて紹介される投稿情報の信頼度を評価する投稿情報評価システムに使用される前記クライアント端末用のプログラムであって、前記クライアント端末に、定期的に位置情報を取得するステップと、前記位置情報のログを記憶するステップと、前記投稿情報に投稿者が記憶されている前記ログを添付して前記クライアント端末より送信するステップと、を実行させるプログラム。
【００３９】
（１７）クライアント端末とサーバにより構成されたＷｅｂサイトにおいて紹介される投稿情報の信頼度を評価する投稿情報評価システムに使用される前記サーバ用のコンピュータ・プログラムであって、前記サーバに、前記サーバは前記クライアント端末より送信される投稿情報と位置情報のログを受信し、前記ログと投稿情報対象の施設の位置情報とに基づき前記投稿情報の信頼度を評価する信頼度評価ステップと、を実行させるコンピュータ・プログラム。
【００４０】
（１６）と（１７）の発明は、プログラムに関するものである。これらのプログラムをクライアント端末、サーバに読み込ませて動作させることにより（６）の発明と同様な作用効果を得ることができる。
【発明の効果】
【００４１】
本発明によれば、投稿情報の信頼度を評価することができる。投稿情報に信頼度評価を添付して閲覧することができるので、閲覧者は信頼度を判断する手がかりを得ることができる。
【発明を実施するための最良の形態】
【００４２】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００４３】
［第１の実施例］
図１は、本発明の好適な一実施形態であるシステム構成の概略を示した図である。図２は、本発明の概念とその概略の処理の流れを示した図である。図３は、本発明の好適な一実施形態の上記のシステムにおける処理の流れの詳細を示した図である。図４は本発明の投稿情報と添付位置データ・日時データの一例である。以下、本発明について、図１から図４を参照して説明をする。
【００４４】
図１の実施形態においてクライアント端末２０ａ、２０ｂ、２０ｘは、複数のＧＰＳ衛星１０より位置検出のための電波を受信する。この図では、ＧＰＳ衛星１０は１個のみ示しているが、よく知られているように位置を特定するためには最低３個、通常は４個以上のＧＰＳ衛星１０からの電波を受信する必要がある。ＧＰＳ衛星１０から送られてくる電波には様々な軌道情報や原子時計による非常に精度の高い時刻データが含まれる。これらの情報から現在位置の緯度、経度などの扱いやすい位置データを得るには、クライアント端末２０ａ、２０ｂ、２０ｘにＧＰＳ衛星１０の軌道情報から得られる付加情報を保持させ、複雑な測位演算を行わせる必要がある。そのため、通常は公衆通信網４０を介して接続された位置データ取得サーバ６０がこれらの測位演算を行い、得られた結果を位置データ（緯度、経度、可能であれば高度など）としてクライアント端末２０ａ、２０ｂ、２０ｘに送信する方法が用いられる。なお、クライアント端末２０ａ、２０ｂ、２０ｘにおいて測位演算を行うこともできる。
【００４５】
クライアント端末２０ａ、２０ｂ、２０ｘは、このようにして得られた緯度、経度などの自らの位置データと日時データと投稿情報とをデータベースサーバ８０に送信する。クライアント端末は、図１に示すように２０ａのように携帯電話機であっても良いし、２０ｂに示すようにＧＰＳ機能を備えるノートパソコンであってもよい。クライアント端末２０ａ、２０ｂ、２０ｘは、位置データを取得することができる位置データ取得部と、位置データを取得した日時データを取得することができる計時部と、位置データと日時データを記憶する記憶部と、投稿情報の投稿の際に投稿情報と取得または記憶されている位置データと日時データを添付して送信する送信部とを備えている。これらの具体的な構成については、図１０で詳細に後述する。
【００４６】
Ｗｅｂサーバ７０とデータベースサーバ８０は、ネットワーク５０で接続されている。これらのサーバは自らの位置データと日時データと投稿情報とを受信する受信部と、受信した投稿情報を添付されて受信した位置データと日時データに基づき信頼度を評価する信頼度評価部とが備えられている。なお、上記のデータベースサーバ８０は、単独のサーバであっても複数のサーバから構成されてよいし、Ｗｅｂサーバ７０に含まれてもよい。Ｗｅｂサーバ７０とデータベースサーバ８０のハードウェアの具体例については図９で詳細に後述する。
【００４７】
投稿情報と信頼度評価部による評価が添付されてデータベースサーバ８０の記憶部に記憶されている。Ｗｅｂサーバ７０とデータベースサーバ８０は、ネットワーク５０ならびに必要に応じて公衆通信網４０を介して情報端末９０ａ、９０ｂ、９０ｘに接続されている。情報端末９０ａ、９０ｂ、９０ｘはグルメサイトなどの評論家が使用する場合もあるし、一般の人が使う場合もありえる。また、投稿情報の投稿者が見る場合もある。情報端末９０ａ、９０ｂ、９０ｘはパーソナルコンピュータであってもよいし携帯可能なノートパソコンであってもよいし、携帯電話機であってもよい。また、クライアント端末２０ａ、２０ｂ、２０ｘと共有することもできる。
【００４８】
図２は、本発明の概念とその処理の流れの概略を示した図である。図２に示すように、例えばＡＢＣレストランについていわゆる口コミ情報のいろいろな投稿がされる。これらの投稿情報に、クライアント端末２０ｘ（以下、クライアント端末２０ａ、２０ｂ、２０ｘを代表して２０ｘと記す）の位置する位置データと位置データを取得した日時データとを、添付して投稿する。投稿すると位置データ取得サーバ６０により位置情報が取得される。これらの情報はデータベースサーバ８０に送信される。データベースサーバ８０には投稿情報を添付されて受信した位置データと日時データに基づき信頼度を評価する信頼度評価部があり、投稿情報の信頼度が評価される。図２の例では、投稿情報に添付された位置データがＡＢＣレストランの真の位置データと比較される。比較した結果、位置データの差が大きい場合の「遅い」と「いまいち」の投稿情報の信頼度は低いと評価する（２０ｂ）。一方、位置データの差がある範囲内である「おいしかった」の投稿情報は信頼度が高いと評価する（２０ａ）。位置データの差がある範囲内としたのは、位置データ取得部の誤差、レストランなどの施設によって変わるからである。投稿情報とその評価内容はデータベースサーバ８０に記憶される。
【００４９】
ＡＢＣレストランについて関心のある人がＷｅｂサーバ７０に問い合わせると、Ｗｅｂサーバ７０はデータベースサーバ８０よりＡＢＣレストランに関する情報を検索して情報端末９０ｘに返す。そこで、ＡＢＣレストランについて関心のある人は、各投稿情報をみて、「おいしかった」の情報の信頼度が高く、「遅い」と「いまいち」の投稿情報の信頼度は低いので、信頼度の高い「おいしかった」の投稿情報を採用して「ＡＢＣレストランはおススメ」とグルメサイトの批評などに利用することができる。
【００５０】
図３は、本発明の好適な一実施形態の上記のシステムにおける処理の流れの詳細を示した図である。まず、クライアント端末２０ｘは、定期的またはユーザ操作により位置データ取得サーバ６０に測位情報要求（位置データ要求）を送信する。この測位情報要求の中には、電波を受信したＧＰＳ衛星情報（全ＧＰＳ衛星のおおざっぱな軌道情報である「アルマナック」やＧＰＳ衛星自身の正確な軌道情報である「エフェメリス」が含まれる）の他、周辺基準局（周辺の基地局のうち基準となる局）の情報を含んでもよい。
【００５１】
位置データ取得サーバ６０は、この受信した情報を基に測位演算を行い（ステップＳ１０）、測位結果（経度、緯度、場合によっては高度、信頼度などのデータも取得可能である）を返信する。あるいは、図示していないが、位置データ取得サーバ６０が、測位演算を行わず、クライアント端末２０ｘが測位演算を行い易くするために、最寄りの基地局からの情報などを用いて測位をし易くするための「アシストデータ」をクライアント端末２０ｘに送信するようにし、クライアント端末２０ｘで測位演算を行うようにしてもよい。
【００５２】
クライアント端末２０ｘは、このようにして得られたクライアント位置データを生成し（ステップＳ１１）、投稿情報に添付してデータベースサーバ８０に送信する。この際に位置データを取得した日時データも添付して送信することが望ましい。より信頼度評価に役立つからである。
【００５３】
データベースサーバ８０は、送信されたこれらのデータを受信して、これらのデータを基に信頼度評価をおこなう（Ｓ１２）。信頼度評価をした後、投稿情報と合わせて信頼度評価が記憶される（Ｓ１３）。以下、信頼度評価の具体的な一例について説明をする。
【００５４】
図４は、本発明の投稿情報と添付位置データ・日時データの一例である。図４に示すように、Ｎｏ．１投稿情報の内容は「おいしかった」であり、対象はＡＢＣレストランであり、添付された位置データは緯度Ｘ１と経度Ｙ１であり、日時は２００６年４月２２日ＰＭ６：３０からＰＭ８：３０である。ここで、ＡＢＣレストランの真の位置データは緯度ＸＲ１と経度ＹＲ１であったとする。また、ＡＢＣレストランの営業時間は午前１０時から午後１０時であったとする。Ｎｏ．１投稿情報の信頼度評価は、添付された位置データの緯度Ｘ１と経度Ｙ１とあらかじめデータベースサーバ８０に記憶されている（記憶されていなければ新たに取得する）ＡＢＣレストランの真の位置データである緯度ＸＲ１と経度ＹＲ１との間の距離を計算することにより行う。計算した間の距離がある定められた値以下であれば信頼度が「高」と評価される。さらに、開始時間と終了時間をＡＢＣレストランの営業時間と比較する。さらに、ＡＢＣレストランが提供するサービスがどの程度の時間を必要とするかも評価の対象となる。Ｎｏ．１投稿情報の添付日時データでは開始から終了まで２時間を要しているのでＡＢＣレストランにて食事をした可能性が高い。したがって、このような情報は信頼度が高いとする合理性がある。
【００５５】
一方、Ｎｏ．２投稿情報の「遅い」に添付された位置情報の位置データは緯度Ｘ２と経度Ｙ２であり、日時は２００６年４月２３日ＡＭ１１：３０からＡＭ１１：３５である。ＡＢＣレストランの真の位置データである緯度ＸＲ１と経度ＹＲ１との間の距離を計算すると、計算した間の距離がある定められた値以上でありかなり離れている。さらに、開始時間と終了時間をＡＢＣレストランの営業時間と比較すると営業時間内ではある。しかし、ＡＢＣレストランの料理を５分で食べることはありえない。したがって、信頼度は「低」と評価される。
【００５６】
また、Ｎｏ．３投稿情報の「いまいち」に添付された位置情報の位置データは緯度Ｘ３と経度Ｙ３であり、日時は２００６年４月２４日ＰＭ１１：３０からＰＭ１１：５０である。ＡＢＣレストランの真の位置データである緯度ＸＲ１と経度ＹＲ１との間の距離を計算すると、計算した間の距離がある定められた値以上でありかなり離れている。さらに、開始時間と終了時間をＡＢＣレストランの営業時間と比較すると営業時間外である。したがって、夜遅くなってＡＢＣレストランで食事をしようとして電話をしたが出ないので腹いせに悪い評価である「いまいち」を投稿したとも考えられる。よって、信頼度は「低」と評価される。
【００５７】
このようにして投稿情報が、信頼度評価を付してデータベースサーバ８０に記憶される（Ｓ１３）。情報端末９０ｘからＡＢＣレストランについて投稿情報の検索がＷｅｂサーバ７０を介して行われるとデータベースサーバ８０にて検索が行われる（Ｓ１４）。検索が行われるとＮｏ．１からＮｏ．３までの投稿情報が検索されてＷｅｂサーバ７０を介して送信される。送信された投稿情報を見て信頼度評価から「おいしかった」の投稿情報だけが信頼できることが判り、ＡＢＣレストランはおススメということになる。
【００５８】
［第２の実施例］
第２の実施例は投稿情報と地図データとを合わせて使用者に使いやすくした投稿情報評価システムに関するものである。図５は、本発明の投稿情報評価システムにより表示された一例を示す図である。
【００５９】
本発明の投稿情報評価システムではデータベースサーバ８０に地図データを記憶する地図データ記憶手段と、指定した施設の位置データの近傍の地図を検索する地図検索手段と、近傍の地図と当該地図上に投稿情報を表すアイコンとを表示する表示手段と、地図上に表示される投稿情報の絞込みを行う特定手段を入力する特定条件入力手段と、入力された特定条件に従い前記投稿情報の絞込みをする絞込手段と、を第１の実施例で説明したデータベースサーバにさらに備える。
【００６０】
地図データ記憶手段と地図検索手段は、後述の図９のサーバ１００のハードウェアに地図データを入力して記憶し、関連する地図検索ソフトウェアプログラムを読み込ませて動作させることにより実現することができる。また、投稿情報を表すアイコンを表示する表示手段、特定条件の入力手段、絞込み手段も、図９のサーバ１００のハードウェアと情報端末９０ｘに関連ソフトウェアプログラムを読み込ませて動作させることにより実現することができる。
【００６１】
図５に示すように、ＡＢＣレストランを情報端末９０ｘより検索すると地図データ記憶手段に記憶されているＡＢＣレストランの近傍の地図が真の位置データに基づいて地図検索手段より検索される。検索された地図データはＷｅｂサーバ７０により情報端末９０ｘに送信される。送信された近傍の地図と当該地図上に投稿情報を表すアイコンとは情報端末９０ｘの表示手段により表示される。図５では、アイコンは丸印に黒い点で表示されている。例えば、ＡＢＣレストランのアイコンをクリックすると実施例１で説明したような投稿情報が信頼度評価された状態で表示される。したがって、使用者はＡＢＣレストランについて信頼度の高い情報を得ることができる。
【００６２】
また、地図上にＡＢＣレストラン以外の施設もアイコンつきで表示されている。したがって、例えばＡＢＣレストランが思わしくなければ、別のＫＧＢバーが良いかアイコンをクリックして投稿情報を信頼度が評価された状態で知ることができる。さらに、ＸＹＺ酒場にどのような投稿情報があるか信頼度が評価された状態で知ることができる。したがって、近傍にどのようなお店がありその評判も信頼度が高くわかるので便利である。
【００６３】
さらに、使用者は特定条件入力手段により入力して適切に絞込手段により入力した特定条件により絞込みができる。図５の例では、点線で囲んだ丸印の範囲という条件で、施設と投稿情報があることを示すアイコンの表示の範囲が絞られている。この絞込みは、日付や季節またはキーワードにより行うこともできる。
【００６４】
［第３の実施例］
第３の実施例は、クライアント端末２０ｘが位置データログを取得することができ、位置データログと、関連した投稿情報と、投稿するユーザ情報とを送信する。第１の実施例にてクライアント端末２０ｘの位置データ取得部にかえて位置データログ部を設けることで実現することができる。なお、クライアント端末２０ｘに位置データログ部を設ける代わりに、位置データをある時間間隔でデータベースサーバ８０に送信しても良い。
【００６５】
図６は、本発明の位置データログを付けて投稿情報を送信する場合の投稿情報と添付位置データ、日時データの例を示す。図７は、投稿するユーザ情報の一例を示す。図６に示すように、例えば、約１週間分の位置データログをもとに訪問したレストラン等の情報についてまとめて投稿することができる。この場合に内容については図６の例では簡単であるが、詳細に伝えたい場合は、位置データログをパーソナルコンピュータ等に転送し、パーソナルコンピュータを情報端末９０ｘとして使用することもできる。また、クライアント端末２０ｘで取得した位置データログをデータベースサーバ８０に送信し、データベースサーバ８０に記憶されている位置データログを後でクライアント端末２０ｘで読み出して、投稿情報を追加して送信することもできる。信頼度の評価については第１の実施例で説明した内容に加えて図７に示すユーザ情報が加味されて評価されるのでより投稿情報の評価の信頼度が増す。
【００６６】
［第４の実施例］
第４の実施例は、第３の実施例でユーザ情報を付して投稿情報が投稿された場合に、投稿者がコミュニティ参加者であるか否かを判定して、投稿者と同一のコミュニティのコミュニティ参加者にのみ投稿情報を開示する。
【００６７】
このため、図１の投稿情報評価システムのデータベースサーバ８０に、各コミュニティ参加者のデータを記憶する参加者記憶手段と、投稿情報の投稿者がコミュニティ参加者であるか否かを判定する判定手段と、投稿者がコミュニティ参加者と判定された場合に、アクセス者が投稿者と同一のコミュニティのコミュニティ参加者である場合に投稿情報の開示を許諾する許諾手段と、をさらに備える。参加者記憶手段と判定手段と許諾手段とは後述の図９のサーバの関連するハードウェアを用いて関連するソフトウェアプログラムをインストールすることにより実現することができる。
【００６８】
図７に示すようなユーザ情報が提供された場合に、参加コミュニテイは中年男であるので、図８に示すような中年男に適した情報のみが開示される。このようにコミュニテイにあった情報のみが提供されるので不必要な情報があふれている中から自分にあった投稿情報を探し出さなければならない問題を解決することができる。
【００６９】
［サーバのハードウェア構成］
図９は、図１で説明したＷｅｂサーバ７０、データベースサーバ８０のハードウェア構成の一例を示す図である。Ｗｅｂサーバ７０、データベースサーバ８０は、サーバ１００を構成するＣＰＵ（Ｃｅｎｔｒａｌ  Ｐｒｏｃｅｓｓｉｎｇ  Ｕｎｉｔ）１０１０（マルチプロセッサ構成ではＣＰＵ１０１２など複数のＣＰＵが追加されてもよい）、バスライン１００５、通信Ｉ／Ｆ１０４０、メインメモリ１０５０、ＢＩＯＳ（Ｂａｓｉｃ  Ｉｎｐｕｔ  Ｏｕｔｐｕｔ  Ｓｙｓｔｅｍ）１０６０、ＵＳＢポート１０９０、Ｉ／Ｏコントローラ１０７０、ならびにキーボードおよびマウス１１００等の入力手段や表示装置１０２２を備える。
【００７０】
Ｉ／Ｏコントローラ１０７０には、テープドライブ１０７２、ハードディスク１０７４、光ディスクドライブ１０７６、半導体メモリ１０７８、等の記憶手段を接続することができる。
【００７１】
ＢＩＯＳ１０６０は、Ｗｅｂサーバ７０、データベースサーバ８０の起動時にＣＰＵ１０１０が実行するブートプログラムや、Ｗｅｂサーバ７０、データベースサーバ８０のハードウェアに依存するプログラム等を格納する。
【００７２】
記憶部を構成するハードディスク１０７４は、Ｗｅｂサーバ７０、データベースサーバ８０がサーバとして機能するための各種プログラムおよび本発明の機能を実行するプログラムを記憶しており、さらに必要に応じて各種データベースを構成可能である。
【００７３】
光ディスクドライブ１０７６としては、例えば、ＤＶＤ−ＲＯＭドライブ、ＣＤ−ＲＯＭドライブ、ＤＶＤ−ＲＡＭドライブ、ＣＤ−ＲＡＭドライブを使用することができる。この場合は各ドライブに対応した光ディスク１０７７を使用する。光ディスク１０７７から光ディスクドライブ１０７６によりプログラムまたはデータを読み取り、Ｉ／Ｏコントローラ１０７０を介してメインメモリ１０５０またはハードディスク１０７４に提供することもできる。
【００７４】
Ｗｅｂサーバ７０、データベースサーバ８０に提供されるプログラムは、ハードディスク１０７４、光ディスク１０７７、またはメモリーカード等の記録媒体に格納されて提供される。このプログラムは、Ｉ／Ｏコントローラ１０７０を介して、記録媒体から読み出され、または通信Ｉ／Ｆ１０４０を介してダウンロードされることによって、Ｗｅｂサーバ７０、データベースサーバ８０にインストールされ実行されてもよい。
【００７５】
前述のプログラムは、内部または外部の記憶媒体に格納されてもよい。ここで、記憶部２４０を構成する記憶媒体としては、ハードディスク１０７４、光ディスク１０７７、またはメモリーカードの他に、ＭＤ等の光磁気記録媒体、テープ媒体を用いることができる。また、専用通信回線やインターネットに接続されたサーバシステムに設けたハードディスク１０７４または光ディスクライブラリ等の記憶装置を記録媒体として使用し、プログラムを通信回線を介してＷｅｂサーバ７０、データベースサーバ８０に提供してもよい。
【００７６】
ここで、表示装置１０２２は、ユーザにデータの入力を受け付ける画面を表示したり、サーバ１００による演算処理結果を表示したりするものであり、ブラウン管表示装置（ＣＲＴ）、液晶表示装置（ＬＣＤ）等のディスプレイ装置を含む。
【００７７】
ここで、入力手段は、ユーザによる入力の受付を行うものであり、キーボードおよびマウス１１００等により構成してよい。
【００７８】
また、通信Ｉ／Ｆ１０４０は、サーバ１００を専用ネットワークまたは公共ネットワークを介してクライアント端末２０ｘ、情報端末９０ｘと接続できるようにするためのネットワーク・アダプタである。通信Ｉ／Ｆ１０４０は、モデム、ケーブル・モデムおよびイーサネット（登録商標）・アダプタを含んでよい。
【００７９】
図１０は、本明細書で説明したクライアント端末２０ｘの典型的な例として、携帯電話機２００のハードウェア構成の一例を示した図である。携帯電話機２００は、ＧＰＳ用受信アンテナ２１０、ＧＰＳ受信部２１２、通信用アンテナ２２０、携帯電話送受信制御部２２２、制御部２３０、記憶部２４０、表示部２５０、操作部２６０、通話部２７０、マイク２７２、スピーカ２７４、および計時部２８０で構成される。
【００８０】
ここでは、位置データ検出部として、ＧＰＳ用受信アンテナ２１０とＧＰＳ受信部２１２を備えている。ＧＰＳ用受信アンテナ２１０は、通信用アンテナ２２０と兼用にしてもよい。なお、ＰＨＳ携帯電話機では、最寄りの複数の基地局から電波を受信することにより位置データ検出部として使用できるがここでは説明を省略する。
【００８１】
制御部２３０は、記憶部２４０にＧＰＳ衛星からの受信信号を記憶し、携帯電話送受信制御部２２２を介して、自らの位置データを得るため、位置データ取得サーバ（測位サーバとも呼ばれる）に緯度、経度などの測位データ（位置データ）の測位演算を要求する。あるいは、位置データ取得サーバからは即位演算を補助するアシストデータを受信し、携帯電話機２００で測位演算を行ってもよい。
【００８２】
さらに、携帯電話機２００には、一般的には、ユーザからの操作を受け付ける操作部２６０、液晶画面やＬＥＤなどの表示部２５０、音声通話のためのマイク２７２やスピーカ２７４を備えた通話部２７０、および現在のおおよその時刻を刻む計時部２８０が含まれる。
【００８３】
以上の例は、投稿情報評価システムについて主に説明したが、コンピュータに、プログラムをインストールして、そのコンピュータをサーバとして動作させることにより上記で説明した機能を実現することができる。したがって、本発明において一実施形態として説明した投稿情報評価システムは、クライアント端末、サーバ、プログラムおよび方法によっても実現可能である。
【００８４】
以上、本発明を実施形態、および実施例を用いて説明したが、本発明の技術的範囲は上記実施形態に記載の範囲に限定されない。上記実施形態に、多様な変更または改良を加えることが可能である。また、そのような変更または改良を加えた形態も本発明の技術的範囲に含まれ得ることが、特許請求の範囲の記載から明らかである。例えば、位置データ取得部はＧＰＳによって説明したが、ＰＨＳ（Ｐｅｒｓｏｎａｌ  Ｈａｎｄｙｐｈｏｎｅ  Ｓｙｓｔｅｍ）基地局網を利用した位置データ取得部にても同様に実現することができる。
【図面の簡単な説明】
【００８５】
【図１】本発明の好適な一実施形態であるシステム構成の概略を示した図である。
【図２】本発明の概念とその概略の処理の流れを示した図である。
【図３】本発明の好適な一実施形態の上記のシステムにおける処理の流れの詳細を示した図である。
【図４】本発明の投稿情報と添付位置データ・日時データの一例を示す図である。
【図５】本発明の投稿情報評価システムにより表示された一例を示す図である。
【図６】本発明の位置データログを付けて投稿情報を送信する場合に投稿情報と添付位置データ・日時データの例を示す図である。
【図７】投稿するユーザ情報の一例を示す。
【図８】コミュニティ参加者に開示された情報例を示す図である。
【図９】サーバのハードウェア構成の一例を示す図である。
【図１０】クライアント端末２０ｘの典型的な例として、携帯電話機２００のハードウェア構成の一例を示した図である。
【符号の説明】
【００８６】
２０ａ、２０ｂ、２０ｘ  クライアント端末
４０  公衆通信網
６０  位置データ取得サーバ
７０  Ｗｅｂサーバ
８０  データベースサーバ
９０ａ、９０ｂ、９０ｘ  情報端末
【図１】
2007304977.tif 000003
【図２】
2007304977.tif 000004
【図３】
2007304977.tif 000005
【図４】
2007304977.tif 000006
【図５】
2007304977.tif 000007
【図６】
2007304977.tif 000008
【図７】
2007304977.tif 000009
【図８】
2007304977.tif 000010
【図９】
2007304977.tif 000011
【図１０】
2007304977.tif 000012